(57)【要約】【課題】  面状光源装置に外力が加わった場合においても、筐体の変形を防止することにより、ランプリフレクタと筐体と接触が不安定となり、ＧＮＤ接続が不安定になることを防止して、表示素子に発生する表示不具合を抑えることができる面状光源装置および表示装置を提供する。【解決手段】  リアフレーム４は、ランプユニット２を構成するランプリフレクタ１ｃを側部４ｂに沿って配置させており、ランプリフレクタ１ｃを配置する側部４ｂにおいて、側部４ｂと連続する上部４ａを備えており、断面形状が略コの字となるよう形成させている。このように、リアフレーム４とランプリフレクタ１ｃを当接させるように配置し、モールドフレーム５の上部５ａをリアフレーム４の上部４ａと、側部５ｂを側部４ｂとそれぞれ当接させ、リアフレーム４を支持している。【選択図】        図２
2011108577.tif 000002
【特許請求の範囲】
【請求項１】
光源と、
前記光源を包囲して保持するランプリフレクタと、
側面に前記光源を配置して出射面より光りを出射する導光板と、
側部と底部を有し、内部に前記光源、前記ランプリフレクタおよび前記導光板を保持する金属製のリアフレームとを備え、
前記リアフレームは、前記側部に沿って前記ランプリフレクタを保持し、前記側部と連続する上部を有してランプリフレクタを包囲し、
前記リアフレームの上部および側部と対向する上部および側部を有し、前記リアフレームを支持するモールドフレームと、を備えた面状光源装置。
【請求項２】
前記リアフレームは、前記ランプリフレクタを配置する側部において、前記側部と連続する前記上部および前記底部により断面形状を略コの字とし、一体形成されていることを特徴とする請求項１記載の面状光源装置。
【請求項３】
前記リアフレームは、前記ランプリフレクタを配置する側部において、前記側部と連続する前記上部および前記底部との接続部分が曲面で形成され、前記ランプリフレクタと前記リアフレームで形成される空間部分を備えており、前記光源に接続されたケーブルを前記空間部分に配置することを特徴とする請求項１記載の面状光源装置。
【請求項４】
前記リアフレームおよび前記モールドフレームの前記ランプリフレクタを配置させる端部に備えた開口部より、前記ランプリフレクタを前記側部に沿ってスライドさせる挿抜手段を備え、かつ前記ランプリフレクタは、断面形状を略Ｕの字とすることを特徴とする請求項１または２記載の面状光源装置。
【請求項５】
前記リアフレームは、前記光源を点灯させる電極部に対応して、前記側部と連続する上部を形成することを特徴とする請求項１記載の面状光源装置。
【請求項６】
請求項１乃至５のいずれか１項に記載の面状光源装置において、前記導光板の出射面に対向して表示素子を備えることを特徴とする表示装置。
【発明の詳細な説明】
【技術分野】
【０００１】
本発明は、画像を表示する表示素子の背面に配置され、表示素子を照射する面状光源装置および表示装置に関する。
【背景技術】
【０００２】
従来の面状光源装置は、光源と光源を保持するランプリフレクタとで集光された光を導光板に向けて出射し、導光板で伝播した光を出射面から出射させている。また、光源から発生するノイズやちらつきなどを防止するため、光源、ランプリフレクタ、導光板を収納する筐体を金属で形成し、ランプリフレクタと接触させることによりＧＮＤ接続（導通）させる構造が一般的に用いられている。
【０００３】
特許文献１に示す面状光源装置は、ランプを包囲し導光板の方向に開口した断面がコの字型のリフレクタを備えており、このリフレクタ、ランプおよび導光板をケース内に配置し、リフレクタに設けた折り曲げ部により、導光板の移動を規制している。
【先行技術文献】
【特許文献】
【０００４】
【特許文献１】特開２００１‐６６５９１号公報（第３頁、図１）
【発明の概要】
【発明が解決しようとする課題】
【０００５】
特許文献１に示す面状光源装置は、外力が加わった際、導光板の移動によるランプ破損を防止することについての記述はあるが、外力によるケースの破損もしくは変形を防止する対策については記載がない。よって、ケースが破損もしくは変形すると、ケースとリフレクタとの接触が不安定となるため、ＧＮＤ接続が不安定になり、面状光源装置の出射面に配置する表示素子にノイズやちらつきなどの表示不具合を発生させてしまうという問題があった。
【０００６】
本発明の目的は、面状光源装置に外力が加わった場合においても、筐体の変形を防止することにより、ランプリフレクタと筐体との接触が不安定となり、ＧＮＤ接続が不安定になることを防止して、表示素子に発生する表示不具合を抑えることができる面状光源装置および表示装置を提供するものである。
【課題を解決するための手段】
【０００７】
本発明における面状光源装置は、光源と、光源を包囲して保持するランプリフレクタと、側面に前記光源を配置した導光板と、側部と底部を有し、内部に光源、ランプリフレクタおよび導光板を保持する金属製のリアフレームとを備えており、リアフレームは、側部に沿ってランプリフレクタを保持し、側部と連続する上部を有してランプリフレクタを包囲し、リアフレームの上部および側部と対向する上部および側部を有し、リアフレームを支持するモールドフレームとを備えるものである。
【発明の効果】
【０００８】
本発明による面状光源装置によれば、リアフレームに伝わる外力を分散させて減衰させることにより、リアフレームの変形を防止し、ランプリフレクタとリアフレームとの接触が不安定となり、ＧＮＤ接続が不安定になることを防止して、表示素子に発生する表示不具合を抑えることができる面状光源装置および表示装置を提供するものである。
【図面の簡単な説明】
【０００９】
【図１】本発明の表示装置の分解斜視図である。
【図２】図１の表示装置の組み立てた状態におけるＡ−Ａ断面図である。
【図３】本発明の表示装置の断面図である。
【図４】本発明の表示装置の断面図である。
【図５】本発明の表示装置の断面図である。
【図６】本発明の面状光源の分解斜視図である。
【発明を実施するための形態】
【００１０】
以下、図面を用いて本発明の面状光源装置および表示装置について詳細に説明する。なお、各図において同一の符号は、同一または実質的に同一の構成として説明を省略する。
【００１１】
図１は本実施の形態１における表示装置の一例を示す分解斜視図、図２は図１の表示装置を組み立てた状態におけるＡ−Ａ断面図である。図１、図２において、本発明の表示装置は、光を出射するための光源であるランプ１と、側面３ａにランプ１を備え、ランプ１からの光を入射して出射面３ｂから出射させる導光板３と、を備えている。また、導光板３の出射面３ｂには光学シート８、出射面３ｂと反対の面である反出射面３ｃには、導光板３からの光を再び導光板３に向かわせる反射シート６を配置する。リアフレーム４およびモールドフレーム５は、上記各部材を収納しており、面状光源装置２１を構成している。面状光源装置２１の光出射方向に表示素子７を対向配置し、開口部を備えたフロントフレーム９によって面状光源装置２１と係合させ、表示装置２２を構成している。
【００１２】
ランプ１は、ランプ１の両端部に形成されるランプホルダ１ａと、ランプ１に電流を流すためのランプケーブル１ｂとを備え、ランプ１およびランプホルダ１ａを取り囲んでランプ１から出射する光を反射させるランプリフレクタ１ｃでランプユニット２を構成している。また、ランプリフレクタ１ｃは金属（アルミ、ステンレス鋼、真鍮）を基材として、ランプ１と対向する側の内面にランプ１から出射された光を反射する反射材を配置している。
【００１３】
導光板３は、アルカリ樹脂やポリカーボネート樹脂などの有機樹脂またはガラスなどの透光性を有する平板状の部材から形成されており、ランプ１から出射される光を伝播させて、出射面３ｂから出射させる光学部材である。導光板３は、ランプ１を側面３ａに対向するように配置させて、ランプ１から出射する光を入射して、導光板３内で伝播させ、出射面３ｂから出射させる。出射面３ｂと反対の面である反出射面３ｃには、光拡散手段が形成（図示せず）され、導光板３内を伝播する光の方向を変更させて拡散し、導光板３の出射面３ｂから出射させている。なお、導光板３は、ランプ１から離れるに従い板厚が薄くなるくさび型形状であってもよい（図示せず）。
【００１４】
リアフレーム４は、側部４ｂおよび底部４ｃを備え、上記のランプユニット２および導光板３を内部に収納させている。リアフレーム４は、ランプリフレクタ１ｃ同様、金属製または金属を含む材料で構成されている。また、リアフレーム４は、ランプユニット２を側部４ｂに沿って配置させており、ランプユニット２を配置する側部４ｂにおいて、側部４ｂと連続する上部４ａを備えており、断面形状が略コの字となるよう、一体的に形成されている。
【００１５】
この際、ランプケーブル１ｂは、ランプリフレクタ１ｃとリアフレーム４との間に形成した空間に配置させる。また、ランプリフレクタ１ｃは、リアフレーム４と接するように、ランプケーブル１ｂを配置する空間を形成するための傾斜部１ｅを除いて、断面が略コの字形状となるように形成させる。
【００１６】
モールドフレーム５は、上部５ａに開口部を有し、樹脂を含む材料で形成される枠状のフレームで、上部５ａと連結する側部５ｂを備えている。モールドフレーム５の上部５ａは、リアフレーム４の上部４ａと、側部５ｂは側部４ｂとそれぞれ当接し、リアフレーム４を支持している。
【００１７】
導光板３の反出射面３ｃには、反射シート６を配置させて、導光板３の反出射面３ｃから出射する光を導光板３に再入射させる。また、導光板３の出射面３ａには、光学シート８を配置させて、出射面３ａから出射する光を拡散または光の方向を変更して表示素子７に入射させることができる。
【００１８】
本実施の形態において、表示素子７は対向する二枚の基板間に液晶層を保持する液晶パネルを用いている。表示素子７は、面状光源装置２１を背面に配置させることにより、面状光源装置２１から出射される光を照射して、画像表示を行う。
【００１９】
本実施の形態における表示装置２２は、ランプユニット２のランプリフレクタ１ｃと金属製のリアフレーム４とを接触させるよう構成させている。また、リアフレーム４は、ランプユニット２を構成するランプリフレクタ１ｃを側部４ｂに沿って配置させ、ランプリフレクタ１ｃを配置する側部４ｂにおいて、側部４ｂと連続する上部４ａを備えており、断面形状が略コの字となるよう形成させている。リアフレーム４とランプリフレクタ１ｃを当接させるように配置し、モールドフレーム５の上部５ａをリアフレーム４の上部４ａと、モールドフレーム５の側部５ｂを側部４ｂとそれぞれ当接させ、リアフレーム４を支持することで、ランプリフレクタ１ｃとリアフレーム４とを確実に導通させ、ＧＮＤ接続をすることができる。また、ランプリフレクタ１ｃから発生した熱をリアフレーム４との当接部分を介してリアフレーム４全体に放熱させることができる。
【００２０】
また、表示装置２２に外力が加わった際、外力はフロントフレーム９を介してモールドフレーム５に伝わる。さらに、外力はモールドフレーム５の上部５ａ、側部５ｂとリアフレーム４との当接部分である、上部４ａ、側部４ｂからリアフレーム４に伝わるが、モールドフレーム５からリアフレーム４に伝わる外力は、分散されて減衰したものとなり、リアフレーム４の形状が変形することを防止できる。よって、リアフレーム４からランプリフレクタ１ｃへ伝わる外力は、さらに減衰したものとなるため、ランプリフレクタ１ｃへ伝わる外力も減衰される。
【００２１】
上記説明したとおり、本発明の面状光源装置２１によれば、ランプリフレクタ１ｃを取り囲む形状で形成されるリアフレーム４の上部４ａおよび側部４ｂと接し、リアフレーム４の上部４ａおよび側部４ｂを支持するモールドフレーム５を備えているので、リアフレーム４に伝わる外力を減衰させることができるため、リアフレーム４の変形を防止することができる。よって、リアフレーム４とランプリフレクタ１ｃとの接触が不安定となり、ＧＮＤ接続が不安定になることを防止することができる。よって、ＧＮＤ接続が不安定な場合に表示装置２２に発生するノイズやちらつきを防止することができ、表示不具合の発生を抑制することができる。
【００２２】
また、モールドフレーム５がリアフレーム４の上部４ａおよび側部４ｂと接して保持する構成であるため、リアフレーム４の形状を安定させることができ、ランプユニット２から発生する熱をランプリフレクタ１ｃを介して、効率よくリアフレーム４に伝熱させることができ、発熱によって引き起こされるさまざまな表示不具合を抑制することができる。
【００２３】
なお、表示装置２２を構成するリアフレーム４、モールドフレーム５およびフロントフレーム９の側部にランプユニット２を挿抜するための開口部を形成し、この開口部よりランプユニット２をリアフレーム４の側部４ｂに沿ってスライドさせて移動させることで挿抜してランプユニット２を交換することが可能である。
【００２４】
実施の形態２．
図３に本実施の形態２における表示装置の断面図を示す。図３に示すとおり、ランプリフレクタ１ｃをコの字形状で形成し、ランプリフレクタ１ｃを取り囲むリアフレーム４において、側部４ｂと上部４ａおよび底部４ｃとを接続する部分を曲面とする断面形状をＵ字形状とすることで、リアフレーム４とランプリフレクタ１ｃとで形成される空間にランプケーブル１ａを保持することができるとともに、外力を空間により減衰させることができる。これにより、リアフレーム４の上部４ａおよび底部４ｃとランプリフレクタ１ｃを安定して当接させることができるため、ＧＮＤ接続が確実にできるとともに、ランプリフレクタ１ｃを介して、ランプ１から発生する熱をリアフレーム４に伝えることができる。
【００２５】
実施の形態３．
図４に実施の形態３における表示装置の断面図を示す。実施の形態２においては、ランプリフレクタ１ｃの断面形状をコの字形状で形成させたが、本実施の形態３では、図４に示すとおり、角部を曲面とするＵ字形状で形成させている。ランプリフレクタ１ｃをＵ字形状とすることで、ランプユニット２をリアフレーム４の側部に沿ってスライドさせる際、角部によるランプユニット２の動きを規制させることなく、スムーズに移動させることができるとともに異物の発生を防止することができる。また、ランプケーブル１ｂはＵ字形状のランプリフレクタ１ｃとリアフレーム４との空間に配置させることができる。
【００２６】
実施の形態４．
図５に実施の形態４における表示装置の断面図を示す。上記の実施の形態において、ランプ１は１本である例を示したが、ランプ１は複数配置してもよい。図５に示すとおり、ランプ１を複数配置する場合においては、実施の形態１乃至３と同様に、ランプ１をランプリフレクタ１ｃで覆う形状とし、ランプケーブル１ｂをランプリフレクタ１ｃとリアフレーム４との空間に配置する構造とする。このように構成させることで、複数のランプ１を配置する場合であっても、ランプユニット２とリアフレーム４とが接する面積を増やすことができるため、ＧＮＤ接続が確実にできるとともに、ランプユニット２から発生する熱をリアフレーム４に伝えることができる。なお、図５において、ランプケーブル１ｂを配置するために、面取り部を設けたランプリフレクタ１ｃとしたが、ランプケーブル１ｂは、ランプリフレクタ１ｃとリアフレーム４との空間に配置させればよいため、リアフレーム４はＵの字形状で形成してもよい。
【００２７】
実施の形態５．
図６に実施の形態５における面状光源装置の分解斜視図を示す。本実施の形態５において、リアフレーム４の側部４ｂと連続して形成させる上部４ｄは、側部４ｂの一部に連続して形成させてもよい。本実施の形態５における上部４ｄは、ランプユニット２を構成するランプ１の電極部と対向しており、ランプ１の両端部を覆うよう形成させている。ランプユニット２を配置する側部４ｂと連続する上部４ｄを電極部と対向させて形成させることで、ランプホルダ１ａで保護されている電極部から発生する熱を集中してリアフレーム４に伝熱させることができるとともに、電極部とリアフレーム４のＧＮＤ接続が可能であるため、ＧＮＤ接続が不安定であることによる表示装置へのノイズやちらつきなどを防止することができる。
【符号の説明】
【００２８】
１：ランプ、１ａ：ランプホルダ、  １ｂ：ランプケーブル、１ｃ：ランプリフレクタ、
２：ランプユニット、３：導光板、  ４：リアフレーム、４ａ  リアフレームの上部、
４ｂ：リアフレームの側部、４ｃ：  リアフレーム４の底部、  ４ｄ：リアフレーム４の上部、５：モールドフレーム、５ａ：モールドフレームの上部、５ｂ：モールドフレームの側部、６：反射シート、７：表示素子、８：光学シート、９：フロントフレーム、
２１：面状光源装置、２２：表示装置。
【図１】
2011108577.tif 000003
【図２】
2011108577.tif 000004
【図３】
2011108577.tif 000005
【図４】
2011108577.tif 000006
【図５】
2011108577.tif 000007
【図６】
2011108577.tif 000008